(57)【特許請求の範囲】
【請求項１】
センターポールを有する下部プレートとこの上にマグネットとトッププレートを重畳して上記センターポールと上記トッププレート間に磁気ギャップを形成してなる磁気回路と、この磁気回路上に結合されたフレームと、外周縁をこのフレームに結合すると共に内周縁を上記磁気ギャップにはめ込まれたボイスコイルに結合された振動板と、上記センターポールの少なくとも上端部を含む外周方向に円弧状に設けられた上記振動板の振幅振動時に上記ボイスコイルとの衝突を回避する切欠部とで構成されたスピーカ。
【請求項２】
センターポールを有する下部プレートとこの上にマグネットとトッププレートを重畳して上記センターポールと上記トッププレート間に磁気ギャップを形成してなる磁気回路と、この磁気回路上に結合された楕円形のフレームと、外周縁をこの楕円形のフレームに結合すると共に内周縁を上記磁気ギャップにはめ込まれたボイスコイルに結合された楕円形の振動板と、上記センターポールの上記振動板の長径方向の少なくとも上端部を含む外周方向に円弧状に設けられた上記ボイスコイルとの衝突を回避する切欠部とで構成されたスピーカ。
【請求項３】
センターポールの振動板の短径方向の少なくとも上端部を含む外周方向に円弧状に設けられたボイスコイルとの衝突を回避する他の切欠部を設けた請求項２に記載のスピーカ。
【請求項４】
センターポールと下部プレートが切欠部の方向が回動方向に調整可能なごとく別体で構成され、調整後固定される請求項１に記載のスピーカ。
【発明の詳細な説明】
【０００１】
【発明の属する技術分野】
本発明は各種音響機器に使用されるスピーカに関するものである。
【０００２】
【従来の技術】
従来の技術を図６の楕円形のスピーカの長径方向の断面図により説明する。
【０００３】
同図によると、マグネット１と上部プレート２をセンターポール３を有する下部プレート４に重畳して結合して構成された磁気回路５の上部プレート２にフレーム６を結合し、このフレーム６の周縁部に振動板７を接着結合し、この振動板７を駆動させるため中央部に結合したボイスコイル８の中間部をダンパー９にて中心を保持し磁気ギャップ１０にはまり込むようにし、上記振動板７のボイスコイル８との結合部の表面にダストキャップ１１を接着して構成されていた。
【０００４】
【発明が解決しようとする課題】
しかしながら、上述のスピーカは、小型、重低音再生、高耐入力化に対応できるようにボイスコイル８を小型で大振幅可能な柔らかい支持系（振動板７等）で支持するように構成されているため、図７に示すように大きな入力が印加された場合、振動系の振幅が大きくなりローリングを発生し支持系の中心保持力が弱まり、ボイスコイル８が偏りながら上下振幅し、下部プレート４のセンターポール３に接触するという、ギャップ不良もしくはハイギャップ不良（通常のギャップ不良がボイスコイル８への比較的大きな信号入力による大振幅により発生するのに対し、入力信号が特定の比較的高い周波数でボイスコイル８が横揺れして発生するもの）が発生しやすくなるという課題を有するものであった。
【０００５】
なお、これらギャップ不良やハイギャップ不良は支持系の形状や支持系に影響を与えるボイスコイル８と入力端子とを接続する錦糸線（図示せず）の引き回し等の要因によってボイスコイル８の支持がバランスよく行われていないために限界値付近で発生するものと考えられている。
【０００６】
本発明は上記課題を解決するもので、小型、重低音再生、高耐入力化が実現でき、しかもギャップ不良もしくはハイギャップ不良の発生を抑えた優れたスピーカを提供するものである。
【０００７】
【課題を解決するための手段】
上記課題を解決するために本発明のスピーカは、センターポールを有する下部プレートとこの上にマグネットとトッププレートを重畳して上記センターポールと上記トッププレート間に磁気ギャップを形成してなる磁気回路と、この磁気回路上に結合されたフレームと、外周縁をこのフレームに結合すると共に内周縁を上記磁気ギャップにはめ込まれたボイスコイルに結合された振動板と、上記センターポールの少なくとも上端部を含む外周方向に円弧状に設けられた上記振動板の振幅駆動時に上記ボイスコイルとの衝突を回避する切欠部とで構成したものであり、ボイスコイルのセンターポールへの接触を抑制してギャップ不良もしくはハイギャップ不良の発生を抑え、小型、重低音再生、高耐入力化の図れる優れたスピーカを提供するものである。
【０００８】
【発明の実施の形態】
本発明の請求項１に記載の発明は、センターポールを有する下部プレートとこの上にマグネットとトッププレートを重畳して上記センターポールと上記トッププレート間に磁気ギャップを形成してなる磁気回路と、この磁気回路上に結合されたフレームと、外周縁をこのフレームに結合すると共に内周縁を上記磁気ギャップにはめ込まれたボイスコイルに結合された振動板と、上記センターポールの少なくとも上端部を含む外周方向に円弧状に設けられた上記振動板の振幅振動時に上記ボイスコイルとの衝突を回避する切欠部とで構成したものであり、ボイスコイルのセンターポールへの接触を抑制してギャップ不良もしくはハイギャップ不良の発生を抑えた優れたスピーカを提供するものである。
【０００９】
本発明の請求項２に記載の発明は、センターポールを有する下部プレートとこの上にマグネットとトッププレートを重畳して上記センターポールと上記トッププレート間に磁気ギャップを形成してなる磁気回路と、この磁気回路上に結合された楕円形のフレームと、外周縁をこの楕円形のフレームに結合すると共に内周縁を上記磁気ギャップにはめ込まれたボイスコイルに結合された楕円形の振動板と、上記センターポールの上記振動板の長径方向の少なくとも上端部を含む外周方向に円弧状に設けられた上記ボイスコイルとの衝突を回避する切欠部とで構成したものであり、楕円形（楕円形、長円形、トラック形等の細長形を含む）スピーカにおける形状に起因するボイスコイルの振幅時の長径方向への偏りによるギャップ不良やハイギャップ不良を防止するものである。
【００１０】
本発明の請求項３に記載の発明は、請求項２のセンターポールの振動板の短径方向の少なくとも上端部を含む外周方向に円弧状に設けられたボイスコイルとの衝突を回避する他の切欠部を設けたものであり、スピーカ形状に起因するボイスコイルの振幅時の長径方向についで大きな要因の一つである短径方向の偏りによるギャップ不良やハイギャップ不良を防止するものである。
【００１１】
本発明の請求項４に記載の発明は、請求項１のセンターポールと下部プレートが切欠部の方向が回動方向に調整可能なごとく別体で構成され、調整後固定するものであり、スピーカ形状に起因しない（ハイ）ギャップ不良や切欠部の切欠方向の微調整などスピーカの完成間近の状態でのセンターポールの切欠部の方向調整を可能としたものである。
【００１２】
以下、本発明のスピーカの一実施の形態について図１から図５により説明する。
【００１３】
（実施の形態１）
図１は、本発明のスピーカの一実施の形態である楕円形のスピーカの長径側の断面図であり、図２は同要部であるセンターポールを有する下部プレートの斜視図であり、図３は同上面図であり、図４は同展開例の上面図である。
【００１４】
同図によると、マグネット２１を上部プレート２２と共にセンターポール２３を有する下部プレート２４に重畳して構成された磁気回路２５のこの上部プレート２２にフレーム２６を結合し、このフレーム２６の外周縁部に振動板２７の外周縁を接着接合し、内周縁を上記磁気回路２５の上部プレート２２と上記センターポール２３間の磁気ギャップ３０にはまり込むようにボイスコイル２８に接着結合して構成するものである。
【００１５】
２９は内周縁をボイスコイル２８に接着接合し、外周縁をフレーム２６に接着結合したダンパーであり、３１は上記振動板２７のボイスコイル２８との結合部の上面に接着されたダストキャップである。
【００１６】
なお、上記センターポール２３は図２に示すごとく上端部を含む外周方向に円弧状に切欠部４０を有しており、この切欠部４０は図３に明らかなごとく楕円形スピーカの振動板２７の長径方向の両側にボイスコイルとの衝突を回避できるように設けたものである。
【００１７】
上記構成によりボイスコイル２８の振幅時に偏りやすい長径方向の磁気ギャップ３０の隙間を広げ、ボイスコイル２８とセンターポール２３の距離を確保し、ギャップ不良およびハイギャップ不良の防止を図るものである。
【００１８】
即ち、上記実施の形態はスピーカの形状が楕円形であるため長径方向と短径方向で異なった振動モードが発生し、これによるローリングにてギャップおよびハイギャップ不良を誘発するメカニズムとなっており、特に、重量バランスを崩しやすい長径方向にローリングが顕著に発生することが多いため、長径方向にセンターポール２３に２個所の上端部を含む外周方向に円弧状に切欠部４０を設け、ボイスコイル２８とセンターポール２３の距離を確保し、ボイスコイルとの衝突を回避できる構成としたものである。
【００１９】
なお、図４は上記実施の形態の展開例であり、長径方向についでローリングの発生の多い短径方向への対応として、短径方向にも上端部を含む外周方向に円弧状の他の切欠部４１を設けたものであり、長径、短径両方向のローリングに対して有効となり、ギャップ不良およびハイギャップ不良の防止を図ることができるものである。
【００２０】
なお、上記実施の形態では楕円形のスピーカについて説明したが、長径・短径方向を有するスピーカ全般について適用しても有効なものであり、楕円形のスピーカの楕円形には楕円形をはじめとして長円形・トラック形・細長形のスピーカも包含されるものである。
【００２１】
（実施の形態２）
本発明の他の実施の形態を図５により説明する。なお、実施の形態１と同一部分は同一番号を付し、説明を省略して説明する。
【００２２】
図５は本発明の他の実施の形態の要部である下部プレートの斜視図であり、下部プレート２４ａは上端部を含む外周方向に円弧状に切欠部４０を設けたセンターポール部２３ａと下部プレート部２４ｂから別部品として構成され、センターポール部２３ａは下部プレート部２４ｂに回動可能な程度に圧入保持されており、スピーカ組立時に組立誤差で切欠部４０の方向が多少ずれても完成段階で回動調整を可能としたものである。
【００２３】
すなわち、ギャップ不良を組み立てた後から修正し、良品化することが可能となるものである。
【００２４】
なお、実施の形態１のごとくスピーカの形状から切欠部４０の方向を調整するものであれば組立を精度良く行うことで対応することは可能ともなるが、上述したように、支持系に影響を与えるもの（例えば錦糸線の取り回し等）がある場合にはスピーカを組み立てた最終段階にボイスコイル２８の振幅時の偏り方向を確認して調整する場合に特に効果を有するものである。
【００２５】
従って、上記実施の形態における楕円形のスピーカのみでなく、一般的なコーン形状の平面形状が円形のものにも適用できることは勿論である。
【００２６】
なお、上記実施の形態においてはセンターポール部２３ａは下部プレート部２４ｂに回動可能な程度に圧入保持されているものとして説明したが、切欠部４０の方向が調整できるものであれば、両者をねじ止めする等の既知の他の手段でも良いものである。
【００２７】
以上のように、本発明はスピーカのボイスコイルの振幅時のボイスコイル偏り方向に対応する切欠部をセンターポールに設けることでギャップ不良を抑制し、小型、重低音再生、高耐入力化の図れる優れたスピーカを提供するものである。
【００２８】
【発明の効果】
以上のように本発明のスピーカはボイスコイルの振幅時の偏り方向に対応したセンターポールの上端部を含む外周方向に円弧状の切欠部を設けることにより、ボイスコイルが接触しやすいギャップ位置にセンターポールの切欠部を位置させて、ボイスコイルとセンターポールの距離を確保し、ボイスコイルとの衝突を回避させ、ギャップ不良およびハイギャップ不良を抑制し、高耐入力化、重低音再生化が可能となり大幅な性能向上を図った優れたスピーカが提供できるものである。
【図面の簡単な説明】
【図１】  本発明のスピーカの一実施の形態の長径側の断面図
【図２】  同要部である下部プレートの斜視図
【図３】  同上面図
【図４】  同他の実施の形態の上面図
【図５】  同他の実施の形態の要部である下部プレートの斜視図
【図６】  従来のスピーカの断面図
【図７】  従来のスピーカのローリング発生時の断面図
【符号の説明】
２１  マグネット
２２  上部プレート
２３  センターポール
２３ａ  センターポール部
２４  下部プレート
２４ａ  下部プレート
２４ｂ  下部プレート部
２５  磁気回路
２６  フレーム
２７  振動板
２８  ボイスコイル
２９  ダンパー
３０  磁気ギャップ
４０，４１  切欠部
【図１】
0004006843.tif 000002
【図２】
0004006843.tif 000003
【図３】
0004006843.tif 000004
【図４】
0004006843.tif 000005
【図５】
0004006843.tif 000006
【図６】
0004006843.tif 000007
【図７】
0004006843.tif 000008